(57)【特許請求の範囲】
【請求項１】
厚さ方向に伸びる軸を中心に回転することにより光路上を通過するシャッタ窓を有する板状部材と、
前記板状部材と平行かつ回転方向と直角方向に、前記光路の幅全体に渡って設けられる絞り部を有する調光絞り部材とを備え、
前記絞り部は前記調光絞り部材に開口する絞り窓であって、前記絞り窓における最も幅の広い部位は、前記板状部材の回転方向における前記光路の長さ以上の直径を有する円形状であり、前記最も幅の広い部位は、前記絞り部の内縁の両側において前記絞り部に対して凸である曲線によって前記絞り部における最も幅の狭い部位と連続的に接続されることを特徴とする露光装置。
【請求項２】
前記板状部材は円盤状であって中心を軸に回転することを特徴とする請求項１に記載の露光装置。
【請求項３】
前記調光絞り部材は前記板状部材の径方向に伸び、かつ移動自在であって、
前記絞り部は前記板状部材の径方向に伸び、前記板状部材の径方向外側に行くにつれて幅が広くなることを特徴とする請求項２に記載の露光装置。
【請求項４】
前記調光絞り部材は、前記絞り部が設けられる円弧状の頭部と、前記頭部からその円弧状の中心に向かって延びる脚部とを有し、
前記脚部にはモータが取り付けられ、前記調光絞り部材は前記モータの軸を中心に回動することを特徴とする請求項１に記載の露光装置。
【発明の詳細な説明】
【技術分野】
【０００１】
本発明は、例えば内視鏡装置が備える光源装置に設けられる露光装置に関する。
【背景技術】
【０００２】
従来、露光装置として光源から出射される照明光の光量の制御を行うものが知られている。
【０００３】
特許文献１に開示されている露光装置は、円盤状であって軸を中心として回転するロータリシャッタを有する。ロータリシャッタは開口部を有する。回転するとき、開口部は照明光の光路上を通過して光路を遮断又は開放する。開放された光路を通過した照明光はスコープを通じて観察部位に照射される。観察部位からの反射光はＣＣＤに入射する。
【０００４】
ロータリシャッタは、１回転でＣＣＤから出力される画像信号の１フレームに相当する時間、光路を開放し、照明光を観察部位に照射する。ＣＣＤは、観察部位からの１フレーム分の反射光により、１フレームの画像信号を出力する。静止画像を得るときには、光路上に設けられる絞りがその開口径を変化させることにより照明光が照射される時間を短縮し、高画質の画像を得る。
【特許文献１】特開２００５−２９６１１８号公報
【発明の開示】
【発明が解決しようとする課題】
【０００５】
しかし、絞りが開口径を変化させることによる露光装置では、絞りによって露光し始めてから完全に露光しその後完全に遮光するまでに時間が必要であり、この時間の間にスコープが動くと、画像にぶれが生じ、鮮明な静止画像を得ることができない問題がある。
【０００６】
本発明は、この問題を解決するためになされたものであり、光路を開閉するために必要な時間を短くして、露光時間の短い露光装置を得ることを目的とする。
【課題を解決するための手段】
【０００７】
本発明による露光装置は、厚さ方向に伸びる軸を中心に回転することにより光路上を通過するシャッタ窓を有する板状部材と、板状部材と平行かつ回転方向と直角方向に、光路の幅全体に渡って設けられる絞り部を有する調光絞り部材とを備えることを特徴とする。
【０００８】
板状部材の回転方向における絞り部の幅は、板状部材の回転方向における光路の径以下であることが望ましい。
【０００９】
板状部材は円盤状であって中心を軸に回転することが好適である。
【００１０】
調光絞り部材は板状部材の径方向に伸び、かつ移動自在であって、絞り部は板状部材の径方向に伸び、板状部材の径方向外側に行くにつれて幅が広くなればなお良い。
【００１１】
絞り部における最も幅の広い部位は、板状部材の回転方向における光路の径と略同じ幅を有することが好ましい。
【００１２】
絞り部は調光部材に開口する絞り窓であって、絞り窓における最も幅の広い部位は、板状部材の回転方向における光路の径と略同じ径を有する円状であれば良い。
【００１３】
調光絞り部材は、絞り部が設けられる円弧状の頭部と、頭部からその円弧状の中心に向かって延びる脚部とを有し、脚部にはモータが取り付けられ、調光部材はモータの軸を中心に回動することが望ましい。
【発明の効果】
【００１４】
本発明によれば、光路を開閉するためにかかる時間を短くして、露光時間の短い露光装置を得ることができる。
【発明を実施するための最良の形態】
【００１５】
以下、本発明における露光装置の実施形態について添付図面を参照して説明する。
【００１６】
第１の実施形態による露光装置を図１から図３を用いて説明する。
【００１７】
露光装置１００は内視鏡装置の光源装置４００に設けられる。内視鏡装置はスコープ６００と、スコープ６００に接続されるビデオプロセッサー５００とから主に構成される。ビデオプロセッサー５００は内部に光源装置４００を備える。光源装置４００が発生する照明光はスコープ６００に伝達される。スコープ６００は人体に挿入されて照明光を観察部位に照射する。観察部位からの照明光の反射光がスコープ６００に入射すると、スコープ６００は反射光をビデオプロセッサー５００に伝達する。ビデオプロセッサー５００は反射光を図示しないＣＣＤにより変換された電気信号から図示しないモニタに表示する。
【００１８】
光源装置４００は光源４１０と、第１及び第２の集光レンズと、露光装置１００とを有する。光源４１０から生じた照明光は第１の集光レンズ４２０により集光されて露光装置１００に導かれる。露光装置１００は照明光の光路を遮断又は開放する。光路が開放されると、照明光は第２の集光レンズ４３０により集光されてスコープ６００に伝達される。スコープ６００は照明光を観察対象物に照射する。光路４４０が遮断されると、照明光はスコープ６００に伝えられず、観察対象物は照明されない。
【００１９】
露光装置１００はロータリシャッタ２００と羽絞り３００とを主に備える。ロータリシャッタ２００は駆動円盤２１０と従動円盤２２０とを有する。駆動円盤２１０と従動円盤２２０は同軸に設けられ、第１のモータ２３０により一定の速度で回転する。駆動円盤２１０と従動円盤２２０にはそれぞれ対応する位置に開口部２１１、２２１が設けられる。それぞれの開口部２１１、２２１は重なることによりシャッタ窓２０２が形成され、従動円盤２２０が駆動円盤２１０に対して相対的に回転することにより、シャッタ窓２０２の大きさが調整される。
【００２０】
第１の集光レンズ４２０とロータリシャッタ２００との間の光路４４０上には調光絞り部材である羽絞り３００が設けられる。羽絞り３００はロータリシャッタ２００の径方向に伸びる円弧状の頭部３１０と、頭部３１０の内周における中央部からその円弧の中心に向けて伸びる脚部３２０とを有する。
【００２１】
頭部３１０には絞り部３１２が設けられる。絞り部３１２は、ロータリシャッタ２００の径方向内側から外側に行くに従い、ロータリシャッタ２００の回転方向における長さ、すなわち幅が広くなる形状を有する。最も幅の広い全開部３１３において、絞り部３１２は光路４４０を完全に開放するに十分な大きさを有する円形状である。円形状の全開部３１３と最も幅の狭い最小部３１４とは、絞り部３１２に対して凸である曲線によって連続的に接続され、全開部３１３から最小部３１４に向けて急激に幅が狭くなる。
【００２２】
脚部３２０には第２のモータ１０２が取り付けられ、羽絞り３００は第２のモータ１０２の軸Ｏを中心に回動する。回動する範囲は、全開部３１３が光路４４０を完全に開放する状態（図２に示す状態）から最小部３１４が光路４４０の左端部に位置するまでの範囲である。
【００２３】
羽絞り３００は、図２に示す位置まで図において左方向（時計周り）に回動する。羽絞り３００がこの位置にあるとき、絞り部３１２のうち円形状である全開部３１３が光路４４０上に位置して光路４４０全体が開放される。このとき、観察部位が照明される時間は、光路４４０をシャッタ窓２０２が通過する時間、つまりシャッタ窓２０２の大きさに依存する。観察部位が照明される時間は、シャッタ窓２０２の大きさを最小としたときに最も短くすることが出来る。
【００２４】
観察部位が照明される時間を更に短くしたいとき、羽絞り３００は図において右方向（反時計周り）に回動される。羽絞り３００が右方向に回動するに従って、光路４４０上における絞り部３１２の幅が狭くなる。観察部位が照明される時間は、絞り部３１２をシャッタ窓２０２が通過する時間、言い換えるとシャッタ窓２０２の端部２３０が絞り部３１２と重複してからシャッタ窓の端部２０３’へ移動するまでの時間ｔに依存する（図３参照）。そして上述のように、シャッタ窓の回転速度は一定であるから、観察部位が照明される時間は絞り部３１２の幅に依存する。すなわち、絞り部３１２の幅を狭くしていくことによりシャッタ窓２０２が通過する時間を短くして観察部位が照明される時間を短くすることが出来る。
【００２５】
羽絞り３００が回動範囲において最も右方向に回動したとき、絞り部３１２のうち最も幅の狭い部位が光路４４０上に位置しており、絞り部３１２をシャッタ窓２０２が通過する時間を最も短くすることができる。
【００２６】
これにより、光源装置４００が照射する照明光の照明時間を短くすることが出来る。
【００２７】
第２の実施形態について図４を用いて説明する。第１の実施形態と同様の構成については説明を省略する。
【００２８】
絞り部７１２は、最も幅が広い全開部７１３において、頭部７１０の長さ方向に開口する。全開部７１３における幅は、ロータリシャッタ２００の回転方向における光路４４０の長さよりも長い。全開部７１３と最も幅が狭い最小部７１４は、絞り部７１２に対して凸である曲線により連続的に接続され、全開部３１３から最小部３１４に向けて急激に幅が狭くなる。
【００２９】
羽絞り７００は、図において左方向（時計周り）に回動する。羽絞り７００が最も左方向に回動した位置にあるとき、光路４４０は全開部７１３に位置することになり、光路４４０全体が開放される。このとき、観察部位が照明される時間は、光路４４０をシャッタ窓２０２が通過する時間、つまりシャッタ窓２０２の大きさに依存する。
【００３０】
絞り部７１２をシャッタ窓２０２の端部が通過する時間を短くするとき、羽絞り７００は図において右方向（反時計周り）に回動される。羽絞り７００が右方向に回動するに従って、光路４４０上における絞り部７１２の幅が狭くなる。観察部位が照明される時間は、絞り部７１２をシャッタ窓２０２が通過する時間、つまり絞り部７１２の幅に依存する。これにより絞り部７１２をシャッタ窓２０２が通過する時間を短くしていくことができる。
【００３１】
羽絞り７００が図において最も右方向に回動すると、絞り部７１２のうち最小部７１４が光路４４０上に位置する。このとき、絞り部７１２をシャッタ窓２０２が通過する時間を最も短くすることができる。
【００３２】
第１及び第２の実施形態による露光装置を備える内視鏡装置を用いることにより、観察部位に非常に短時間の照明光を照射することが出来、ぶれのない静止画像を得ることが可能となる。
【００３３】
なお、羽絞りは回動するものでなくても良く、ロータリシャッタ２００の径方向に直線的に動作するものであっても良い。この場合、頭部は円弧状でなく、略長方形となる。
【図面の簡単な説明】
【００３４】
【図１】内視鏡装置の一部概念図である。
【図２】第１の実施形態におけるロータリシャッタ及び絞り羽根の正面図である。
【図３】シャッタ窓が絞り部を通過するときの光路を示した図である。
【図４】第２の実施形態におけるロータリシャッタ及び絞り羽根の正面図である。
【符号の説明】
【００３５】
１００  露光装置
１０２  第２のモータ
２００  ロータリシャッタ
２３０  第１のモータ
３００  羽絞り
３１０  頭部
３１２  絞り部
３２０  脚部
４００  光源装置
４４０  光路
５００  ビデオプロセッサー
６００  スコープ
【図１】
0005424529.tif 000002
【図２】
0005424529.tif 000003
【図３】
0005424529.tif 000004
【図４】
0005424529.tif 000005